【手続補正書】
【提出日】平成17年1月20日(2005.1.20)
【手続補正１】
【補正対象書類名】明細書
【補正対象項目名】特許請求の範囲
【補正方法】変更
【補正の内容】
【特許請求の範囲】
【請求項１】
少なくとも１つの接続可能コンポーネントを有する電子デバイスにおいて電力を管理する方法であって、
前記電子デバイスに電気的に接続される前記少なくとも１つの接続可能コンポーネントの総電力要求値を求めるステップと、
複数の電気的に接続された電源モジュールの各々の利用可能電力レベルを求め、それらの利用可能電力レベルを合計して電源の利用可能電力レベルを生じさせることにより、前記電子デバイスに接続される前記電源の利用可能電力レベルを求めるステップと、
前記総電力要求値を前記利用可能電力レベルと比較するステップと、及び
前記総電力要求値が前記利用可能電力レベル以下である場合に、前記少なくとも１つの接続可能コンポーネントが前記電源から電力の供給を受けることができるようにするステップとを含む、方法。
【請求項２】
電子デバイスにおいて電力を管理するための装置であって、
ａ．１つまたは複数のコンピュータ読出し可能記憶媒体と、及び
ｂ．前記１つまたは複数のコンピュータ読出し可能記憶媒体に格納されたコンピュータ読出し可能プログラムコードとを含み、
前記コンピュータ読出し可能コードが、
ｉ．前記電子デバイスと関連して動作する少なくとも１つの電子コンポーネントの各々から少なくとも１つの電力要求値を読出すためのコードと、
ii．前記少なくとも１つの電子コンポーネントからの前記少なくとも１つの電力要求値を合計して、前記少なくとも１つの電子コンポーネントの総電力要求値を計算するためのコードと、
iii．前記総電力要求値を、前記電子デバイスと関連して動作する少なくとも１つの電源からの利用可能電力レベルと比較するためのコードと、及び
iv．前記総電力要求値が前記利用可能電力レベル以下である場合に、前記少なくとも１つの電子コンポーネントが、前記少なくとも１つの電源から電力の供給を受けることができるようにするためのコードとを含む、装置。
【請求項３】
電子デバイスにおいて電力を管理するための装置であって、
ａ．１つまたは複数のコンピュータ読出し可能記憶媒体と、及び
ｂ．前記１つまたは複数のコンピュータ読出し可能記憶媒体に格納されたコンピュータ読出し可能プログラムコードとを含み、
前記コンピュータ読出し可能コードが、
ｉ．前記電子デバイスと関連して動作する少なくとも１つの電子コンポーネントの各々から少なくとも１つの電力要求値を読出すためのコードと、
ii．前記少なくとも１つの電子コンポーネントからの前記少なくとも１つの電力要求値を合計して、前記少なくとも１つの電子コンポーネントの総電力要求値を計算するためのコードと、
iii. 少なくとも１つの電源の少なくとも１つの電力モジュールから少なくとも１つの電力容量を読出し、前記少なくとも１つの電力容量を合計して利用可能電力レベルを生じさせ、かつ前記電源の少なくとも１つの電力モジュールにおける少なくとも１つのステータスインディケータを読出して、前記少なくとも１つの電力モジュールの中の故障している電力モジュールを識別し、かつ前記利用可能電力レベルから前記故障している電力モジュールの前記少なくとも１つの電力容量を減算することにより、利用可能電力レベルを計算するためのコードと、
iv．前記総電力要求値を、前記電子デバイスと関連して動作する前記少なくとも１つの電源からの前記利用可能電力レベルと比較するためのコードと、及び
v．前記総電力要求値が前記利用可能電力レベル以下である場合に、前記少なくとも１つの電子コンポーネントが、前記少なくとも１つの電源から電力の供給を受けることができるようにするためのコードとを含む、装置。
【請求項４】
電子デバイス用の電力管理システムであって、
ａ．利用可能電力容量を有する少なくとも１つの電源と、
ｂ．ｉ．少なくとも１つの第１の受信機と、
ii．少なくとも第１の動作状態と第２の動作状態とを有する少なくとも１つの第１の送信機と、
iii. 少なくとも１つの検出器とを含む、電力モニタと、
ｃ．前記電子デバイスと関連し、前記少なくとも１つの電源と電気的に接続され、電力要求値を有する、少なくとも１つの電子コンポーネントであって、
ｉ．前記少なくとも１つの電力モニタの第１の受信機に電気的に接続された少なくとも１つの第２の送信機と、
ii．前記少なくとも１つの電力モニタの第１の送信機に電気的に接続された少なくとも１つの第２の受信機と、
iii. 少なくとも１つのインディケータとを含む、少なくとも１つの電子コンポーネントとを含み、
ｄ．前記電力管理システムが、
ｉ.（１）前記少なくとも１つの電子コンポーネントが、前記少なくとも１つの電源から電力の供給を受け、
（２）前記少なくとも１つの電力モニタの第１の受信機が、前記少なくとも１つの電子コンポーネントの少なくとも１つの第２の送信機から前記電力要求値を受信し、その電力要求値の合計が、前記少なくとも１つの電源の利用可能電力容量の合計以下であり、
（３）前記少なくとも１つの電力モニタの少なくとも１つの第１の送信機が、前記第１の動作状態であり、
（４）前記電子コンポーネントの少なくとも１つのインディケータが、前記電力モニタの少なくとも１つの検出器に電気的に接続されていることからなる、第１の稼働状態と、
ii.（１）前記少なくとも１つの電子コンポーネントが、前記少なくとも１つの電源から電力の供給を受けず、
（２）前記少なくとも１つの電力モニタの第１の受信機が、前記少なくとも１つの電子コンポーネントの少なくとも１つの第２の送信機から前記電力要求値を受信し、その電力要求値の前記合計が前記少なくとも１つの電源の利用可能電力容量の前記合計より大きく、
（３）前記少なくとも１つの電力モニタの少なくとも１つの第１の送信機が、前記第２の動作状態であり、
（４）前記電子コンポーネントの少なくとも１つのインディケータが、前記電力モニタの少なくとも１つの検出器に電気的に接続されていることからなる、第２の稼働状態と、
iii.（１）前記少なくとも１つの電子コンポーネントが、前記少なくとも１つの電源から電力の供給を受け、
（２）前記電子コンポーネントの少なくとも１つのインディケータが、前記電力モニタの少なくとも１つの検出器に電気的に接続されており、
（３）前記少なくとも１つの電力モニタの第１の受信機が、前記少なくとも１つの電子コンポーネントの少なくとも１つの第２の送信機から前記電力要求値を受信しておらず、
（４）前記少なくとも１つの電力モニタの少なくとも１つの第１の送信機が、前記第１の動作状態にあることからなる、第３の稼働状態を少なくとも更に含む、電力管理システム。
【手続補正２】
【補正対象書類名】明細書
【補正対象項目名】００７１
【補正方法】変更
【補正の内容】
【００７１】
状態Ｂ３（４５０）では、キャビネットに十分に電力が供給されており、電力タリーは有効であるが、電力冗長性レベルはＮ−である。状態Ｂ３（４５０）には、電子コンポーネント１９２、１９４の追加または除去によってトリガされる状態遷移によっては入らない。それは、電力モニタ１０４が、電力冗長性レベルがＮ−であった場合、電子コンポーネント（例えば、２００）が４８ｖＤＣ電力の供給を受けることができるようにしないためである。もっと正確にいえば、状態Ｂ３（４５０）には、電子デバイス１００の電力容量の変化によってトリガされる状態遷移（図示せず）によって入る。具体的には、電源（例えば、１３０）が電力ブロック１０６から除去されたか、またはステータスレジスタに故障を報告しており、そのためその利用可能電力が電子デバイス１００の総電力容量から除去されたかである。電子デバイス１００の総電力容量の同様の変化において、他の状態遷移（図示せず）がトリガされてもよい。状態Ｂ３（４５０）から出る唯一の遷移４５２は、状態Ｃ６（４５４）に至り、それは、新たな電子コンポーネント（例えば、２００）の追加によるか、または電源（例えば、１３０）の追加または除去によってトリガされる。